(57)【要約】【課題】移動体通信基地局の工事進捗に応じた移動体通信のエリア整備の状況を容易に把握可能なように、移動体通信基地局の工事進捗状況を地図上に良好に表現することが可能な表示制御装置を提供することを課題とする。【解決手段】本発明の表示制御装置は、基地局情報記憶手段に記憶された複数の移動体通信基地局の位置情報、及び、当該複数の移動体通信基地局に夫々対応する付随情報に基づいて、アイコン記憶手段に記憶された当該付随情報に応じた表示形態を有するアイコンを、地図情報記憶手段に記憶された地図情報上の対応する位置に表示させるように表示部を制御する。【選択図】図１
2016048460.tif 000002
【特許請求の範囲】
【請求項１】
記憶部と制御部と表示部とを少なくとも備えた表示制御装置であって、
前記記憶部は、
地図の地図情報を記憶する地図情報記憶手段と、
複数の移動体通信基地局の位置情報と、当該複数の移動体通信基地局ごとの工事進捗に関する工事進捗情報を含む付随情報と、を対応付けて記憶する基地局情報記憶手段と、
前記付随情報に応じた表示形態を有する前記移動通信基地局に対応するピン型のアイコンを記憶するアイコン記憶手段と、
を備え、
前記制御部は、
前記基地局情報記憶手段に記憶された前記複数の移動体通信基地局の位置情報、及び、当該複数の移動体通信基地局に夫々対応する前記付随情報に基づいて、前記アイコン記憶手段に記憶された当該付随情報に応じた表示形態を有する前記アイコンを、前記地図情報記憶手段に記憶された前記地図情報上の対応する位置に表示させるように前記表示部を制御するアイコン表示制御手段、
を備えることを特徴とする表示制御装置。
【請求項２】
前記アイコン表示制御手段は、
前記付随情報に含まれる前記工事進捗情報が示す前記移動体通信基地局の工事進行度に応じて、当該移動体通信基地局に対応する前記アイコンのピンの色を変更するように制御する請求項１に記載の表示制御装置。
【請求項３】
前記アイコン表示制御手段は、
前記付随情報に含まれる前記工事進捗情報が示す前記移動体通信基地局の工事予定月を、当該移動体通信基地局に対応する前記アイコンのピンの内側に数字で表示するように制御する請求項１又は２に記載の表示制御装置。
【請求項４】
前記アイコン表示制御手段は、
前記付随情報に含まれる前記工事進捗情報が示す前記移動体通信基地局の工事量に対応する難易度が高いほど、当該移動体通信基地局に対応する前記アイコンのピンの横に表示するオブジェクトを多くし、前記難易度が低いほど前記オブジェクトを少なくするように制御する請求項１乃至３のいずれか一つに記載の表示制御装置。
【請求項５】
入力部を更に備え、
前記アイコン表示制御手段は、
利用者により前記入力部を介して前記表示部上で選択された前記アイコンに対応する前記移動体通信基地局に関する付随情報を、当該アイコンの周辺の所定領域内に表示するように制御する請求項１乃至４のいずれか一つに記載の表示制御装置。
【発明の詳細な説明】
【技術分野】
【０００１】
本発明は、表示制御装置に関する。
【背景技術】
【０００２】
従来、移動体通信基地局（特許文献１等）の工事進捗の管理には、計算表ソフトウェア等によって作成された進捗管理表や出来高曲線や、プロジェクト管理ツール（特許文献２等）などが活用されていた。
【先行技術文献】
【特許文献】
【０００３】
【特許文献１】特開２０１０−１１０００３号公報
【特許文献２】特開２０１３−０４５３０８号公報
【発明の概要】
【発明が解決しようとする課題】
【０００４】
ところで、従来技術においては、移動体通信基地局の工事進捗に関する工事進捗表、バーチャート、ガントチャート等を地図上に表示することはできるものの、移動体通信のエリア設計は、クラスターや同一エリア内の面的な広がりや繋がりを重視するため、近年、移動体通信のエリア設計における移動体通信基地局の工事進捗状況を地図上に良好に表現する技術の開発が求められていた。
【０００５】
本発明は、上記に鑑みてなされたもので、移動体通信基地局の工事進捗に応じた移動体通信のエリア整備の状況を容易に把握可能なように、移動体通信基地局の工事進捗状況を地図上に良好に表現することが可能な表示制御装置を提供することを目的とする。
【課題を解決するための手段】
【０００６】
このような目的を達成するため、本発明の表示制御装置は、記憶部と制御部と表示部とを少なくとも備えた表示制御装置であって、前記記憶部は、地図の地図情報を記憶する地図情報記憶手段と、複数の移動体通信基地局の位置情報と、当該複数の移動体通信基地局ごとの工事進捗に関する工事進捗情報を含む付随情報と、を対応付けて記憶する基地局情報記憶手段と、前記付随情報に応じた表示形態を有する前記移動通信基地局に対応するピン型のアイコンを記憶するアイコン記憶手段と、を備え、前記制御部は、前記基地局情報記憶手段に記憶された前記複数の移動体通信基地局の位置情報、及び、当該複数の移動体通信基地局に夫々対応する前記付随情報に基づいて、前記アイコン記憶手段に記憶された当該付随情報に応じた表示形態を有する前記アイコンを、前記地図情報記憶手段に記憶された前記地図情報上の対応する位置に表示させるように前記表示部を制御するアイコン表示制御手段、を備えることを特徴とする。
【０００７】
上記表示制御装置において、前記アイコン表示制御手段は、前記付随情報に含まれる前記工事進捗情報が示す前記移動体通信基地局の工事進行度に応じて、当該移動体通信基地局に対応する前記アイコンのピンの色を変更するように制御することが好ましい。
【０００８】
上記表示制御装置において、前記アイコン表示制御手段は、前記付随情報に含まれる前記工事進捗情報が示す前記移動体通信基地局の工事予定月を、当該移動体通信基地局に対応する前記アイコンのピンの内側に数字で表示するように制御することが好ましい。
【０００９】
上記表示制御装置において、前記アイコン表示制御手段は、前記付随情報に含まれる前記工事進捗情報が示す前記移動体通信基地局の工事量に対応する難易度が高いほど、当該移動体通信基地局に対応する前記アイコンのピンの横に表示するオブジェクトを多くし、前記難易度が低いほど前記オブジェクトを少なくするように制御することが好ましい。
【００１０】
上記表示制御装置は、入力部を更に備え、当該表示制御装置において、前記アイコン表示制御手段は、利用者により前記入力部を介して前記表示部上で選択された前記アイコンに対応する前記移動体通信基地局に関する付随情報を、当該アイコンの周辺の所定領域内に表示するように制御することが好ましい。
【発明の効果】
【００１１】
本発明に係る表示制御装置によれば、移動体通信基地局の工事進捗に応じた移動体通信のエリア整備の状況を容易に把握可能なように、移動体通信基地局の工事進捗状況を地図上に良好に表現することができる。
【図面の簡単な説明】
【００１２】
【図１】図１は、実施形態に係る表示制御装置の構成の一例を示すブロック図である。
【図２】図２は、アイコンの表示形態の一例を示す図である。
【図３】図３は、アイコンの表示形態の一例を示す図である。
【図４】図４は、アイコンの表示形態の一例を示す図である。
【図５】図５は、アイコンの表示形態の一例を示す図である。
【図６】図６は、移動体通信基地局に関する各種情報の一例を示す表である。
【図７】図７は、地図上の移動体通信基地局に対応するアイコンが付随情報に応じた表示形態で表示された表示例を示す図である。
【図８】図８は、図７の表示例に表示された地図の一部を示す拡大図である。
【図９】図９は、図７の表示例に表示された地図の別の一部を示す拡大図である。
【図１０】図１０は、図９の拡大図を更に拡大した図である。
【発明を実施するための形態】
【００１３】
以下に、本発明にかかる表示制御装置の実施形態を図面に基づいて詳細に説明する。なお、この実施形態によりこの発明が限定されるものではない。また、下記の実施形態における構成要素には、当業者が容易に想定できるものあるいは実施的に同一のものが含まれる。
【００１４】
実施形態に係る表示制御装置の構成について図１乃至図１０を参照して説明する。図１は、実施形態に係る表示制御装置の構成の一例を示すブロック図である。図２乃至図５は、アイコンの表示形態の一例を示す図である。
【００１５】
図１において、実施形態に係る表示制御装置１００は、概略的に、制御部１０２と記憶部１０６と入出力制御インターフェース部１０８と入力部１１２と表示部１１４とを少なくとも備えて構成される。ここで、制御部１０２は、表示制御装置１００の全体を統括的に制御するＣＰＵ等である。入出力制御インターフェース部１０８は、入力部１１２や表示部１１４に接続されるインターフェースである。記憶部１０６は、各種のデータベースやテーブルなどを格納する装置である。これら制御部１０２の各部は任意の通信路を介して通信可能に接続されている。本実施形態において、表示制御装置１００は、携帯電話やスマートフォン等の携帯型の情報処理端末装置であってもよいし、パーソナルコンピュータ等の情報処理端末装置であってもよい。なお、図示しないが、制御部１０２は、更に、通信制御インターフェース部と通信可能に接続されてもよい。通信制御インターフェース部は、通信回線等に接続されるルータ等の通信装置に接続されるインターフェースである。そして、この制御部１０２は、通信制御インターフェース部を経て、ルータ等の通信装置および専用線等の有線または無線の通信回線を介して、ネットワークに通信可能に接続されていてもよい。ネットワークは、表示制御装置１００と外部機器（外部のデータベースサーバ等）とを相互に接続する機能を有し、例えば、無線通信ネットワークやインターネット等である。
【００１６】
記憶部１０６に格納される各種のデータベースやテーブル（地図情報データベース１０６ａ〜アイコンデータベース１０６ｃ）は、固定ディスク装置等のストレージ手段である。例えば、記憶部１０６は、各種処理に用いる各種のプログラムやテーブルやファイルやデータベースやウェブページ等を格納する。
【００１７】
地図情報データベース１０６ａは、地図の地図情報（地図データ）を記憶する地図情報記憶手段である。地図情報データベース１０６ａに記憶される地図情報は、制御部１０２の処理により定期的又は利用者の操作に応じて最新の地図情報に更新される。この場合、制御部１０２は、例えば、地図情報を配信する外部のデータベースサーバから最新の地図情報を取得して地図情報データベース１０６ａに記憶された地図情報を更新してもよいし、外部のメモリ装置等に記憶された地図情報を入力部１１２から読み込んで地図情報データベース１０６ａに記憶された地図情報を更新してもよい。
【００１８】
基地局情報データベース１０６ｂは、複数の移動体通信基地局の位置情報と、当該複数の移動体通信基地局ごとの工事進捗に関する工事進捗情報を含む付随情報と、を対応付けて記憶する基地局情報記憶手段である。移動体通信基地局とは、移動体（携帯電話等の通信端末装置）や他の基地局間で、所定の通信方式に従ってデータ通信を実現するための拠点となる通信装置であり、これらの基地局の設置位置に応じて移動体通信のエリアやクラスターが構築される。
【００１９】
基地局情報データベース１０６ｂに記憶される移動体通信基地局の位置情報は、当該移動体通信基地局の設置位置を示す座標データである。移動体通信基地局の位置情報は、当該移動体通信基地局の設置完了時や当該移動体通信基地局の設置位置が決定された際に基地局情報データベース１０６ｂに登録される。この他、移動体通信基地局に位置情報発信装置等が搭載されている場合は、当該移動体通信基地局から発信される位置情報を表示制御装置１００が受信した際に、基地局情報データベース１０６ｂに登録されるようにしてもよい。
【００２０】
基地局情報データベース１０６ｂに記憶される移動体通信基地局の工事進捗情報は、これに限定されないが、例えば、移動体通信基地局の工事進行度（工事完了、工事予定、未定等）を示すデータ、移動体通信基地局の工事予定月（１月〜１２月等）を示すデータ、移動体通信基地局の工事量に対応する難易度（レベル０〜レベル３等）を示すデータ等のデータを含み、移動体通信基地局に関する工事進捗に関するあらゆる情報を含む。基地局情報データベース１０６ｂに記憶される移動体通信基地局の付随情報は、上述の工事進捗情報の他、これに限定されないが、例えば、基地局管理番号、基地局名、ベンダー名、施工会社名、物件種別、優先度、着工予定日、着工実施日の他、クラスター番号、工事パターン、サービス周波数等を示すデータを含み、移動体通信基地局の詳細を示すあらゆるデータを含む。移動体通信基地局の工事進捗情報や付随情報は、当該移動体通信基地局の工事中や設置完了時や当該移動体通信基地局の設置位置が決定された際などに基地局情報データベース１０６ｂに登録又は更新される。
【００２１】
アイコンデータベース１０６ｃは、上述の付随情報に応じた表示形態を有する移動通信基地局に対応するピン型のアイコンを記憶するアイコン記憶手段である。アイコンデータベース１０６ｃは、付随情報の内容に応じた種々の表示形態のアイコンを予め記憶している。種々の表示形態のアイコンとしては、例えば、ピンの色（例えば、青、緑、黄色、オレンジ、赤等）が夫々異なる複数のアイコン、ピンの内側の数字（例えば、７月、８月、９月、１０月、１１月、１２月等）が夫々異なる複数のアイコン、ピンの横に表示されるオブジェクトの数（例えば、０個、１個、２個、３個等）が夫々異なる複数のアイコン等が挙げられるが、これらに限定されない。
【００２２】
入出力制御インターフェース部１０８は、入力部１１２や表示部１１４の制御を行う。表示部１１４としては、モニタ等を含む。入力部１１２としては、各種機器（メモリ装置等）の接続部、キーボード、マウス、およびマイク等を含む。なお、表示制御装置１００がスマートフォン等の携帯型の情報処理端末装置である場合、入力部１１２と表示部１１４とはタッチパネル型で構成されてもよい。
【００２３】
制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、アイコン表示制御部１０２ａを少なくとも備えて構成される。
【００２４】
アイコン表示制御部１０２ａは、基地局情報データベース１０６ｂに記憶された複数の移動体通信基地局の位置情報、及び、当該複数の移動体通信基地局に夫々対応する付随情報に基づいて、アイコンデータベース１０６ｃに記憶された当該付随情報に応じた表示形態を有するアイコンを、地図情報データベース１０６ａに記憶された地図情報上の対応する位置に表示させるように表示部１１４を制御するアイコン表示制御手段である。
【００２５】
ここで、アイコン表示制御部１０２ａは、付随情報に含まれる工事進捗情報が示す移動体通信基地局の工事進行度（例えば、工事完了、工事予定、未定等）に応じて、当該移動体通信基地局に対応するアイコンのピンの色を変更するように制御してもよい。例えば、図２に示すように、アイコン表示制御部１０２ａは、移動体通信基地局の工事進行度に応じて、アイコンのピンの色分けを行ってもよい。
【００２６】
図２において、アイコン（ｉ）を青色、アイコン（ｉｉ）を緑色、アイコン（ｉｉｉ）を黄色、アイコン（ｉｖ）をオレンジ色、アイコン（ｖ）を赤色とする。この場合、一例として、アイコン表示制御部１０２ａは、工事が完了した移動体通信基地局に対応するアイコンについては、アイコンのピンの色を青色（図２（ｉ））にする。また、アイコン表示制御部１０２ａは、工事予定の移動体通信基地局に対応するアイコンについては、アイコンのピンの色を緑色（図２（ｉｉ））又は黄色（図２（ｉｉｉ））にする。また、アイコン表示制御部１０２ａは、工事が未定の移動体通信基地局に対応するアイコンについては、アイコンのピンの色をオレンジ色（図２（ｉｖ））又は赤色（図２（ｖ））にする。
【００２７】
また、アイコン表示制御部１０２ａは、付随情報に含まれる工事進捗情報が示す移動体通信基地局の工事予定月（例えば、７月、８月、９月、１０月、１１月、１２月等）を、当該移動体通信基地局に対応するアイコンのピンの内側に数字で表示するように制御してもよい。例えば、図３に示すように、アイコン表示制御部１０２ａは、移動体通信基地局の工事予定月をピンの中に記載の数字で表現してもよい。
【００２８】
図３において、アイコン（ｉ）〜（ｉｉｉ）を緑色、アイコン（ｉｖ）〜（ｖｉ）を黄色とし、上述の例で示したように、緑色又は黄色のアイコンは工事予定であることを示し、緑色のアイコン（ｉ）〜（ｉｉｉ）の方が黄色のアイコン（ｉｖ）〜（ｖｉ）よりも工事予定月が現在の月に近いものとする。この場合、一例として、アイコン表示制御部１０２ａは、工事予定月が７月である移動体通信基地局に対応するアイコンについては、アイコンのピンの内側の数字を「７」（図３（ｉ））にする。以下同様に、アイコン表示制御部１０２ａは、工事予定月が８月である移動体通信基地局に対応するアイコンについては、アイコンのピンの内側の数字を「８」（図３（ｉｉ））にし、工事予定月が９月である移動体通信基地局に対応するアイコンについては、アイコンのピンの内側の数字を「９」（図３（ｉｉｉ））にする。また、アイコン表示制御部１０２ａは、工事予定月が１０月である移動体通信基地局に対応するアイコンについては、アイコンのピンの内側の数字を「１０」（図３（ｉｖ））にし、工事予定月が１１月である移動体通信基地局に対応するアイコンについては、アイコンのピンの内側の数字を「１１」（図３（ｖ））にし、工事予定月が１２月である移動体通信基地局に対応するアイコンについては、アイコンのピンの内側の数字を「１２」（図３（ｖｉ））にする。なお、図示しないが、アイコン表示制御部１０２ａは、予定より工事が遅延している基地局については、アイコンを点滅させるなどして注意喚起を促すようにしてもよい。
【００２９】
また、アイコン表示制御部１０２ａは、付随情報に含まれる工事進捗情報が示す移動体通信基地局の工事量に対応する難易度が高いほど（例えば、レベル２〜３等）、当該移動体通信基地局に対応するアイコンのピンの横に表示するオブジェクトを多くし、難易度が低いほど（例えば、レベル０〜１等）オブジェクトを少なくするように制御してもよい。例えば、図４に示すように、アイコン表示制御部１０２ａは、移動体通信基地局の工事量に対応する難易度をピンの横に表示するオブジェクトの数で視覚的に表現してもよい。
【００３０】
図４において、アイコン（ｉ）〜（ｉｖ）を青色とし、上述の例で示したように、青色のアイコンは工事が完了していることを示し、ピン型のアイコンの支柱部分の右横の領域に難易度に応じた丸型のオブジェクトが表示されるものとする。この場合、一例として、アイコン表示制御部１０２ａは、工事量が最も少なく難易度が最も低いレベル０である移動体通信基地局に対応するアイコンについては、アイコンのピンの横にオブジェクトを追加しない（図４（ｉ））。アイコン表示制御部１０２ａは、工事量が比較的少なく難易度が比較的低いレベル１である移動体通信基地局に対応するアイコンについては、アイコンのピンの横にオブジェクトを１個追加する（図４（ｉｉ））。アイコン表示制御部１０２ａは、工事量が比較的多く難易度が比較的高いレベル２である移動体通信基地局に対応するアイコンについては、アイコンのピンの横にオブジェクトを２個追加する（図４（ｉｉｉ））。アイコン表示制御部１０２ａは、工事量が最も多く難易度が最も高いレベル３である移動体通信基地局に対応するアイコンについては、アイコンのピンの横にオブジェクトを３個追加する（図４（ｉｖ））。
【００３１】
また、アイコン表示制御部１０２ａは、利用者により入力部１１２を介して表示部１１４上で選択されたアイコンに対応する移動体通信基地局に関する付随情報（例えば、基地局管理番号、基地局名等）を、当該アイコンの周辺の所定領域内に表示するように制御してもよい。例えば、図５に示すように、アイコン表示制御部１０２ａは、アイコンがクリックされた場合に当該アイコンに対応する移動体通信基地局に関する付随情報を吹き出し表示してもよい。
【００３２】
図５において、アイコン（ｉ）を青色とし、上述の例で示したように、青色のアイコンは工事が完了していることを示し、入力部１１２（例えば、マウス）により当該アイコン（ｉ）が選択（例えば、クリック）されると、ピン型のアイコンの右横の所定領域として吹き出しが表示されるものとする。この場合、一例として、アイコン表示制御部１０２ａは、アイコン（ｉ）がクリックされると、アイコンの右横の吹き出し（ｉｉ）内に、当該アイコンに対応する移動体通信基地局に関する付随情報として、基地局管理番号１、基地局名、ベンダー、施工会社、物件種別１〜２、優先度、着工予定日、着工実施日といった項目を表示する。なお、アイコンをクリックする他にも、アイコンにカーソルが合わせられた際に、当該アイコンに対応する移動体通信基地局に関する付随情報が表示されるようにしてもよい。
【００３３】
以下、図６乃至図１０を参照して、アイコン表示制御部１０２ａにより表示部１１４に表示される地図上のアイコンの表示例について説明する。図６は、移動体通信基地局に関する各種情報の一例を示す表である。図７は、地図上の移動体通信基地局に対応するアイコンが付随情報に応じた表示形態で表示された表示例を示す図である。図８は、図７の表示例に表示された地図の一部を示す拡大図である。図９は、図７の表示例に表示された地図の別の一部を示す拡大図である。図１０は、図９の拡大図を更に拡大した図である。
【００３４】
図６において、基地局管理番号１のアイコンは、通話とデータ通信の状態が良好であり、通信方式として１．９Ｇ（３Ｇ）と１．９Ｇ（４Ｇ）に対応している移動体通信基地局とする。基地局管理番号２のアイコンは、通話の状態が比較的良好であり、通信方式として１．９Ｇ（３Ｇ）に対応している移動体通信基地局とする。基地局管理番号３のアイコンは、通話の状態が良好であり、通信方式として８００Ｍ（３Ｇ）に対応している移動体通信基地局とする。基地局管理番号４のアイコンは、データ通信の状態が良好であり、通信方式として８００Ｍ（４Ｇ）に対応している移動体通信基地局とする。なお、以下の図７乃至図１０に示す表示例では、基地局管理番号１のアイコンは青色、基地局管理番号２のアイコンは緑色、基地局管理番号３のアイコンは黄色、基地局管理番号４のアイコンは赤色で示されるものとする。
【００３５】
図７において、表示部１１４には、アメリカ全土の地図情報上に図６に示した基地局管理番号１〜４のアイコンが表示されている。表示部１１４の左上には、通信方式１．９Ｇ（３Ｇ）と通信方式１．９Ｇ（４Ｇ）、通信方式１．９Ｇ（３Ｇ）のみ、通信方式８００Ｍ（３Ｇ）、通信方式８００Ｍ（４Ｇ）を夫々選択可能なチェックボックス欄が表示されている。利用者は、これらのチェックボックスにチェックを入れるかまたはチェックを外すことにより、各通信方式に夫々対応する移動体通信基地局のアイコンを地図情報上に表示するか否かを選択することができる。図８において、表示部１１４には、図７に示したアメリカ全土の地図情報のうちニューヨーク周辺の地図情報が拡大された状態で、基地局管理番号１〜４のアイコンが表示されている。図９において、表示部１１４には、図７に示したアメリカ全土の地図情報のうちダラス周辺の地図情報が拡大された状態で、基地局管理番号１〜４のアイコンが表示されている。図１０において、表示部１１４には、図９に示したダラス周辺の地図情報が更に拡大された状態で、基地局管理番号１〜４のアイコンが表示されている。
【００３６】
このように、実施形態に係る表示制御装置１００は、移動体通信基地局における工事進捗状況を地図上でピン表示により表現することが可能となる。これにより、利用者は、上述の図７乃至図１０に示した表示例等を確認することで、従来では、見えなかった移動体通信エリアの進捗をエリアネットワーク観点から俯瞰することができる。また、移動体通信事業者に対して、プロジェクトにおいて注力すべき基地局を一目瞭然に表すことができるので、その結果、クラスター単位でのエリアネットワークの工期を短縮することが可能になる。この他、利用者は、エリア設計のソフトウェアとの同期により、工事予定と工事後の改善エリアを表すことも可能になる。
【００３７】
以上説明したように、実施形態に係る表示制御装置１００によれば、移動体通信基地局の工事進捗に応じた移動体通信のエリア整備の状況を容易に把握可能なように、移動体通信基地局の工事進捗状況を地図上に良好に表現することができる。これにより、移動体通信基地局のエリア面的、クラスター的な工事進捗の見える化を実現することができる。
【００３８】
さて、これまで本発明の実施形態について説明したが、本発明は、上述した実施形態以外にも、特許請求の範囲に記載した技術的思想の範囲内において種々の異なる実施の形態にて実施されてよいものである。
【００３９】
上述の実施形態では、地図情報データベース１０６ａ、基地局情報データベース１０６ｂ、アイコンデータベース１０６ｃが表示制御装置１００の記憶部１０６内に備えられた場合を一例に説明したが、これに限定されない。例えば、地図情報データベース１０６ａ、基地局情報データベース１０６ｂ、アイコンデータベース１０６ｃを表示制御装置１００の記憶部１０６内に備えずに、外部のデータベースサーバに備えさせてもよい。この場合、表示制御装置１００は、データベースサーバと、通信可能に接続された構成となり、表示制御システムとしての実施形態となる。この表示制御システムでは、上述した実施形態と同様の効果を奏する。
【００４０】
また、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００４１】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００４２】
また、表示制御装置１００に関して、図示の各構成要素は機能概念的なものであり、必ずしも物理的に図示の如く構成されていることを要しない。
【００４３】
例えば、表示制御装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて表示制御装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００４４】
また、このコンピュータプログラムは、表示制御装置１００に対して任意のネットワークを介して接続されたアプリケーションプログラムサーバに記憶されていてもよく、必要に応じてその全部または一部をダウンロードすることも可能である。
【００４５】
また、本発明に係るプログラムを、コンピュータで読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【００４６】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施形態に示した各装置において記録媒体を読み取るための具体的な構成、読み取り手順、あるいは、読み取り後のインストール手順等については、周知の構成や手順を用いることができる。
【００４７】
記憶部１０６に格納される各種のデータベース等（地図情報データベース１０６ａ〜アイコンデータベース１０６ｃ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【００４８】
また、表示制御装置１００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【００４９】
更に、装置の分散・統合の具体的形態は図示するものに限られず、その全部または一部を、各種の付加等に応じて、または、機能負荷に応じて、任意の単位で機能的または物理的に分散・統合して構成することができる。
【符号の説明】
【００５０】
１００  表示制御装置
１０２  制御部
１０２ａ  アイコン表示制御部
１０６  記憶部
１０６ａ  地図情報データベース
１０６ｂ  基地局情報データベース
１０６ｃ  アイコンデータベース
１０８  入出力制御インターフェース部
１１２  入力部
１１４  表示部
【図１】
2016048460.tif 000003
【図２】
2016048460.tif 000004
【図３】
2016048460.tif 000005
【図４】
2016048460.tif 000006
【図５】
2016048460.tif 000007
【図６】
2016048460.tif 000008
【図７】
2016048460.tif 000009
【図８】
2016048460.tif 000010
【図９】
2016048460.tif 000011
【図１０】
2016048460.tif 000012